(57)【要約】無線媒体を介して互いと通信する少なくとも１つのホスト及び少なくとも１つのゲストを有し、選択ホスト（１０）を選択ゲスト（２０）とリンクさせる手段を持つシステムである。簡略化された方式でこのような選択及びこのようなリンクを行なうことを可能にするために、ホスト（１０）は、ゲスト（２０）が宣言信号（５０）を送信し、この宣言信号（５０）が該ホスト（１０）の宣言領域（４０）内から送信されるという２つの条件でリンクを確立する手段を持ち、前記宣言領域は前記ゲスト／前記ホストの対の通常の動作領域（６０）と実質的に異なる。前記ホスト（１０）及び前記ゲスト（２０）の前記選択及び前記リンクは、単に前記選択ホスト（１０）の前記宣言領域（４０）内で前記選択ゲスト（２０）を押し、この宣言領域（４０）内から前記選択ゲスト（２０）による宣言信号（５０）の送信をトリガすることによって行われる。
2004521564.tif 000002
【特許請求の範囲】
【請求項１】
無線通信システムであり、ゲスト信号を送信するゲスト送信機を含む手段を持つ少なくとも１つのゲスト、及び前記ゲスト信号を受信するホスト受信機を含む手段を持つ少なくとも１つのホストを有し、前記ホストは、前記ゲストによって送信される宣言信号を受信すると該ゲストとのリンクを確立する手段を有し、前記リンクの確立後、前記ホストは、リンクされた前記ゲストによって送信される通常の動作信号に応答する無線通信システムであって、
前記ゲスト送信機が前記ホストの宣言領域内に位置する間に前記ゲストによって送信される前記宣言信号を該ホストによって受信すると該ゲストとの前記リンクを確立する手段を有し、前記宣言領域は、前記ゲスト／前記ホストの対の通常の動作領域と実質的に異なる領域であり、前記手段は、前記ゲスト送信機が前記宣言領域外に位置する間に前記ゲストによって前記宣言信号を送信される場合には該ゲストとの前記リンクを確立しないことを特徴とする無線通信システム。
【請求項２】
前記宣言領域が、前記ホスト受信機の周囲に延在し、前記ゲスト送信機／前記ホスト受信機の対の前記通常の動作領域より実質的に小さく、該通常の動作領域内に含まれることを特徴とする請求項１に記載の無線通信システム。
【請求項３】
前記宣言領域の半径が、前記ゲスト送信機／前記ホスト受信機の対の前記通常の動作領域の半径の１０％を超えず、これらの半径は前記ホスト受信機から測定されることを特徴とする請求項２に記載の無線通信システム。
【請求項４】
前記ゲストが、前記宣言信号の送信及び前記通常の動作信号の送信のために実質的に同じ送信電力を使用することを特徴とする請求項１乃至３のいずれか一項に記載の無線通信システム。
【請求項５】
前記ゲストが、前記宣言信号を送信する第１送信電力及び前記通常の動作信号を送信する第２送信電力を使用し、前記第１送信電力は実質的に前記第２送信電力より低いことを特徴とする請求項１乃至３のいずれか一項に記載の無線通信システム。
【請求項６】
前記ホストが、故意に前記ゲストに信号を送信する手段を有さないことを特徴とする請求項１乃至５のいずれか一項に記載の無線通信システム。
【請求項７】
前記ホストが、故意に信号を送信する手段を有さないことを特徴とする請求項６に記載の無線通信システム。
【請求項８】
前記ゲストが、故意に前記ホストからの信号を受信する手段を有さないことを特徴とする請求項１乃至７のいずれか一項に記載の無線通信システム。
【請求項９】
前記ゲストが、故意に信号を受信する手段を有さないことを特徴とする請求項８に記載の無線通信システム。
【請求項１０】
前記ホストが、前記ゲストとの前記リンクが有効に確立されることをユーザに知らせる手段を有することを特徴とする請求項１乃至９のいずれか一項に記載の無線通信システム。
【請求項１１】
前記ゲスト送信機が前記ホストの前記宣言領域内に位置する間に前記ゲストによって送信されるリンク解除信号を前記ホストによって受信すると該ゲストとの前記リンクを解除する手段を有し、前記手段は、前記ゲスト送信機が前記宣言領域外に位置する間に前記ゲストによって前記リンク解除信号を送信される場合には該ゲストとの前記リンクを解除しないことを特徴とする請求項１乃至１０のいずれか一項に記載の無線通信システム。
【請求項１２】
前記ホストが、前記ゲストとの前記リンクが有効に解除されることをユーザに知らせる手段を有することを特徴とする請求項１１に記載の無線通信システム。
【請求項１３】
少なくとも１つのゲスト及び少なくとも１つのホストを有する無線通信システムのホストであり、前記ゲストは、ゲスト信号を送信するゲスト送信機を含む手段を持ち、当該ホストは、前記ゲスト信号を受信するホスト受信機を含む手段、及び前記ゲストによって送信される宣言信号を受信すると該ゲストとのリンクを確立する手段を持ち、前記リンクの確立後、当該ホストは、リンクされた前記ゲストによって送信される通常の動作信号に応答するホストであって、
当該ホストは、前記ゲスト送信機が当該ホストの宣言領域内に位置する間に前記ゲストによって送信される前記宣言信号を受信すると該ゲストとの前記リンクを確立する手段を有し、前記宣言領域は、前記ゲスト／当該ホストの対の通常の動作領域と実質的に異なる領域であり、前記手段は、前記ゲスト送信機が前記宣言領域外に位置する間に前記ゲストによって前記宣言信号を送信される場合には該ゲストとの前記リンクを確立しないことを特徴とするホスト。
【請求項１４】
少なくとも１つのゲスト及び少なくとも１つのホストを有する無線通信システムのゲストであり、当該ゲストは、ゲスト信号を送信するゲスト送信機を含む手段を持ち、前記ホストは、前記ゲスト信号を受信するホスト受信機を含む手段、及び当該ゲストによって送信される宣言信号を受信すると当該ゲストとのリンクを確立する手段を持ち、前記リンクの確立後、前記ホストは、リンクされた当該ゲストによって送信される通常の動作信号に応答するゲストであって、
当該ゲストは、前記宣言信号を送信する第１送信電力及び前記通常の動作信号を送信する第２送信電力を使用し、前記第１送信電力は実質的に前記第２送信電力より低いことを特徴とするゲスト。
【請求項１５】
少なくとも１つのホスト及び少なくとも１つのゲストを有する無線通信システムのホスト受信機を持つホストとゲスト送信機を持つゲストとの間のリンクを確立する方法であり、前記リンクの確立後、前記ホストは、リンクされた前記ゲストによって送信される通常の動作信号に応答する方法であって、
ａ）  前記ゲスト送信機を前記ホストの宣言領域内に配置するステップであり、前記宣言領域は、前記ゲスト送信機／前記ホスト受信機の対の通常の動作領域と実質的に異なるステップ、
ｂ）  前記ゲストにおいてユーザの操作を行なうステップであり、前記ユーザの操作に応じて前記ゲストが前記宣言信号を送信するステップ、及び
ｃ）  前記宣言信号の送信元が前記宣言領域内である場合には前記ホストと前記ゲストとの間の前記リンクを確立し、前記送信元が前記宣言領域外である場合には前記リンクを確立しないステップを有する方法。
【請求項１６】
前記宣言領域が、前記ホスト受信機の周囲に延在し、実質的に、前記ゲスト送信機／前記ホスト受信機の対の前記通常の動作領域より小さく、該通常の動作領域内に含まれることを特徴とする請求項１５に記載の方法。
【請求項１７】
前記宣言領域の大きさが、前記ゲスト送信機／前記ホスト受信機の対の前記通常の動作領域の大きさの１０％を超えないことを特徴とする請求項１６に記載の方法。
【発明の詳細な説明】
【０００１】
【発明の属する技術分野】
本発明は、無線通信システムであって、ゲスト信号（ｇｕｅｓｔ ｓｉｇｎａｌ）を送信するゲスト送信機を含む手段を持つ少なくとも１つのゲスト、及び前記ゲスト信号を受信するホスト受信機を含む手段を持つ少なくとも１つのホストを有し、前記ホストは、前記ゲストによって送信される宣言信号（ｄｅｃｌａｒａｔｉｏｎ ｓｉｇｎａｌ）を受信すると該ゲストとのリンクを確立する手段を有し、前記リンクの確立後、前記ホストは、リンクされた前記ゲストによって送信される通常の動作信号（ｒｅｇｕｌａｒ ｏｐｅｒａｔｉｏｎ ｓｉｇｎａｌ）に応答する無線通信システムに関する。
【０００２】
【従来の技術】
このような無線通信システムは、ＤＥＣＴ規格（Ｄｉｇｉｔａｌ Ｅｎｈａｎｃｅｄ Ｃｏｒｄｌｅｓｓ Ｔｅｌｅｐｈｏｎｅ）のフレームワーク（ｆｒａｍｅｗｏｒｋ）において、基地局（ホスト）を移動局（ゲスト）とリンクさせるプロセスを記載しているＰＣＴ特許出願番号第ＷＯ９４／１０７８５号から既知である。
【０００３】
このような既知のプロセスの宣言段階においては、ホストとゲストとの間のリンクを確立するために以下のステップが行われなければならない。第１に、ユーザは、ゲストがシステムの複数のホストの中のどのホストにリンクされるべきかの選択から成る第１の選択を行なわなければならない。しばしば選択ホストの特定のボタンを押すことによって行われるこのような第１の選択をすると、選択ホストは、ゲストの注意を喚起するために告知信号（ａｎｎｏｕｎｃｅｍｅｎｔ ｓｉｇｎａｌ）を送信する。第２に、ユーザは、選択ホストがシステムの複数のゲストの中のどのゲストにリンクされるべきかを選択することにより第２の選択を行なわなければならない。しばしば選択ゲストの特定のボタン（の組み合わせ）を押すことによって行われるこのような第２の選択をすると、選択ゲストは、選択ホストの注意を喚起するために宣言信号の形で告知信号に対する応答を送信する。
【０００４】
選択ホストによる宣言信号を受信すると、選択ホストと選択ゲストと間の他のトランザクションが行なわれ、これは、最終的に共にリンクされている選択ホスト及び選択ゲストをもたらす。
【０００５】
このリンクプロセスの目的は、ホストが全くどのゲストにも応答しないことを確実にすることにある。実際に、リンクプロセス後には、選択ホストは、リンクされたゲストによって送信される通常の動作信号に応答し、リンクされていないゲストによって送信される通常の動作信号には応答しないであろう。
【０００６】
【発明が解決しようとする課題】
このような既知のプロセスは、多くの状況においてうまく動作するが、簡略化されたリンクプロセスを備えるシステム及び簡略化されたシステムの供給の要望がある。
【０００７】
【課題を解決するための手段】
本発明の目的は、ホストとゲストとの間の簡略化されたリンクプロセスを備える簡略化された無線通信システムを提供することにある。
【０００８】
このため、本発明による無線通信システムは、ゲスト送信機がホストの宣言領域内に位置する間にゲストによって送信される宣言信号を該ホストによって受信すると該ゲストとのリンクを確立する手段を有し、前記宣言領域は前記ゲスト／前記ホストの対の通常の動作領域（ｎｏｒｍａｌ ｏｐｅｒａｔｉｎｇ ａｒｅａ）と実質的に異なる領域であり、前記手段は、前記ゲスト送信機が前記宣言領域外に位置する間に前記ゲストによって前記宣言信号を送信される場合には該ゲストとのリンクを確立しないことを特徴とする。
【０００９】
このようなシステムにおいては、ユーザは、まず、ゲストのゲスト送信機をホストの宣言領域内に持っていく。前記宣言領域は前記ホストの通常の動作領域とは異なる。前記ユーザは、それによって、間接的に前記ホストを選択する。次いで、前記ユーザは、例えば前記ゲストにおいて特定のボタンを押すことによって該ゲストにおいて操作（ａｃｔｉｏｎ）を行い、それにより該ゲストを選択する。前記操作後、選択された前記ゲストは前記ホストの注意を喚起するために宣言信号を送信する。この信号を受信すると、選択された前記ホストは前記選択ゲストとのリンクを確立する。前記選択ゲストが前記ホストの宣言領域外からこの信号を送信する場合には、該ホストは、この信号を受け入れず、又はこの信号を検出せず、その結果として、前記選択ゲストとのリンクを確立しない。
【００１０】
本発明によるシステムの特性のため、このようにして、ホストの選択、ゲストの選択、及び選択された前記ホストの選択された前記ゲストとのリンクは、単一のユーザの操作によって同時に行なわれることができ、それにより、リンクプロセスを簡略化する。
【００１１】
更に、本発明によるシステムは、前記ホストを選択するのに該ホストにおける直接的なユーザの操作を必要としない。この付加的な利点は、前記ホストにおける直接的な操作が望ましくなく、且つ／又は可能でない場合に用いられ得る。
【００１２】
好ましい実施例においては、本発明によるシステムは、ホストの宣言領域が、ホスト受信機の周囲に延在し、ゲスト送信機／該ホスト受信機の対の通常の動作領域より実質的に小さく、該通常の動作領域内に含まれるようなシステムである。従って、宣言信号と通常の動作信号との両方を扱うのに単一のホスト受信機で十分であり、それにより、前記システムを簡略化する。
【００１３】
本発明の好ましい実施例においては、ホストの宣言領域の半径は、ゲスト送信機／ホスト受信機の対の通常の動作領域の半径の１０％を超えず、これらの半径は前記ホスト受信機から測定される。これは、両領域間の単純な区別を与え、それによって、必要とされる回路を更に簡略化する。
【００１４】
本発明の特定の実施例においては、ホストは、ゲスト送信機が該ホストの宣言領域内に位置する間にゲストによって送信されるリンク解除信号（ｕｎｌｉｎｋｉｎｇ ｓｉｇｎａｌ）を受信すると該ゲストとのリンクを解除する手段も有し、前記手段は、前記ゲスト送信機が前記宣言領域外に位置する間に前記ゲストによって前記リンク解除信号を送信される場合には該ゲストとのリンクを解除しない。これは、選択ゲストの選択ホストからのリンク解除という逆の問題に対する単純な解決策を提供する。
【００１５】
本発明のこれら及び他の特徴を下記の実施例を参照して説明し、明らかにする。図は縮尺どおりには描かれていない。一般に、図において、同一の構成要素は同じ参照符号により示される。
【００１６】
【発明の実施の形態】
図１は、少なくとも１つのホスト及び少なくとも１つのゲストを有する一般的な無線通信システム（１）を概略的に示している。ゲストとホストとは無線媒体を介して信号の送信及び受信をすることにより互いと通信する。
【００１７】
図２は、図１の無線通信システム（１）の素子（２）を概略的に示している。このような素子（２）は、ホスト又はゲストのいずれかであり、送信機を含む信号を送信する手段（３）及び／又は受信機を含む信号を受信する手段を有する。送信信号（７）は、送信機（３）に端を発している矢印によって表わされており、受信信号（８）は、受信機（４）の方を指している矢印によって表わされている。
【００１８】
第１素子が第２素子からの信号を有効に（ｖａｌｉｄｌｙ）受信するために、第１素子の受信機と第２素子の送信機とは、その大きさが無線通信システムで普通である所与の互いから届く範囲の距離（ｄｉｓｔａｎｃｅ ｏｆ ｒｅａｃｈ）内になければならない。種々の前記素子の間の届く範囲の距離は、第１素子／第２素子の対の通常の動作領域を規定する。
【００１９】
これらの信号は無線媒体を介して伝搬することから、第２素子の届く範囲の距離内（又は、換言すると、通常の動作領域内）の如何なる第１素子も、第２素子によって送信される信号を有効に受信し、従って、このような信号に応答し得る。これは必ずしも望ましいとは限らない。例えば、多数ゲスト／多数ホスト環境においては、ホストが、或るゲストから送出する信号にしか応答せず、たとえ他のゲストが該ホストの通常の動作領域内から信号を送信している場合であっても該他のゲストから送出する信号には応答しないことがしばしば必要とされる。
【００２０】
この選択を達成するために、或る既知の方法は、ホストとゲストとの間のリンクを確立すること、及びホストに、リンクされたゲストから受信される信号にしか応答させないことから成る。
【００２１】
このような既知の方法は、ＰＣＴ特許出願番号第ＷＯ９４／１０７８５号に記載されている。この既知の方法は２つの段階を有する。第１段階は、一般にホストにおいて特定のボタンを押すことから成るユーザの操作によってトリガされる（宣言段階とも呼ばれる）要求段階であり、この後、ホストは全てのゲストに要求信号を送信する。前記操作を行なうことにより、ユーザは、実際に、該ユーザがどのホストをリンクさせる準備をしたいのかを正確に選択する。次いで、ユーザは、該ユーザが選択ホストにどのゲストをリンクさせたいのかを選択する第２の操作を行なう。この第２の操作は、一般に選択ゲストにおいて特定のボタン又は特定のボタンの組み合わせを押すことから成る。このような第２の操作をすると、選択ゲストは選択ホストからの要求信号に応答する。このような応答は宣言信号と呼ばれ得る。前記応答を受信すると、選択ホストは該選択ホストを登録する（ｒｅｇｉｓｔｅｒ）第２段階に入り、それによって、選択ホストを選択ゲストにリンクさせる。
【００２２】
本発明による無線通信システムにおいては、この選択及びリンクが以下に例示されているようにユーザのために簡略化される。
【００２３】
図３は、本発明の実施例による無線通信システムの２つの素子を概略的に示している。第１素子は、ゲスト送信機（２５）を含むゲスト信号を送信する手段を持つゲスト（２０）である。ゲスト送信機（２５）は、無線周波数（ＲＦ）の信号又は赤外線（ＩＲ）タイプ若しくは任意の他のタイプの信号を送信することが出来る送信素子を有する。第２素子は、ホスト受信機（１５）を含むゲスト信号を受信する手段を持つホスト（１０）である。ホスト受信機（１５）はゲストによって送信されるタイプの信号を受信することが出来る受信素子を有する。
【００２４】
ゲスト（２０）が、ホスト（１０）の宣言領域（４０）内から、即ち、ゲスト送信機（２５）がこの宣言領域（４０）内に位置する間に宣言信号（５０）を送信する場合には、ホスト（１０）は、前記宣言信号（５０）を受信するとゲスト（２０）とのリンクを確立する。逆に、ゲスト（２０）が、ホスト（１０）の宣言領域（４０）外から、即ち、ゲスト送信機（２５）がこの宣言領域（４０）外に位置する間に宣言信号（５０）を送信する場合には、ホスト（１０）は、ゲスト（２０）とのリンクを確立しない。
【００２５】
前記宣言領域（４０）は、図３において示されているように通常の動作領域（６０）によって部分的に重複され得る、又はそれどころか図５に例示されているような好ましい実施例のための以下に記載されているような通常の動作領域（６０）によって実質的に重複され得るが、ゲスト／ホストの対の通常の動作領域（６０）と実質的に異なる領域である。
【００２６】
このような区別を達成するための１つの方法は、ホスト受信機（１５）が２つの別個のホスト受信機センサを有し、第１センサの特性及び位置が宣言領域（４０）を決定し、第２センサの特性及び位置が通常の動作領域（６０）を決定するホスト（１０）による方法である。
【００２７】
斯くして、本発明によるシステムにおいては、ユーザは、単に選択ゲストの送信機を選択ホストの宣言領域内に持っていき、この位置から宣言信号の送信をトリガすることにより、選択ゲストと選択ホストとの間のリンクを確立することが出来る。
【００２８】
ユーザは、例えば、単にゲスト（２０）において特定のボタン又はセンサを押すことで、宣言信号（５０）の送信をトリガすることができ、これはプロセスを更に簡略化する。他の例においては、ボタン及び／又はセンサの単純な組み合わせもまた、偶発的にトリガする危険性を低減するために用いられ得る。更に、前記リンクを確立するためのホスト（１０）における直接的な操作は不必要である。この特徴は、例えば、ホストがユーザの手の届かないところにある場合、又は美的な理由のためにホスト上に要求段階をトリガするためのボタン若しくは他の如何なる手段も持ちたくない場合には本発明の付加的な利点を構成し得る。
【００２９】
図３においては、システムによって宣言領域（４０）内であるとみなされるであろうゲスト送信機（２５）の他の位置（２１、２２）の例、及びシステムによって宣言領域（４０）外であるとみなされるであろうゲスト送信機（２５）の他の位置（７０、７１、７２）の例も示されている。
【００３０】
好ましい実施例において、ホスト（１０）の宣言領域（４０）は、ホスト受信機（１５）の周囲に延在し、図４において概略的に示されているように、実質的にゲスト送信機（２５）／ホスト受信機（１５）の対の通常の動作領域（６０）より小さく、該通常の動作領域（６０）内に含まれる。このような構成においては、宣言信号（５０）と通常の動作信号との両方を扱うのに単一のホスト受信機センサで十分である。
【００３１】
或るホスト（１０）の宣言領域（４０）内での宣言信号（５０）の送信が別の（不所望な）ホストの登録段階をトリガすることを回避するために、好ましくは、無線通信システムの様々なホストの宣言領域が互いに重複しないように配設される。この要求の達成を容易にするために、本発明の最も好ましい実施例によるシステムのホスト（１０）は、半径がゲスト送信機（２５）／ホスト受信機（１５）の対の通常の動作領域（６０）の半径の１０％を超えない宣言領域（４０）を持ち、これらの半径はホスト受信機（１５）から測定される。更に、この特性は、両領域間の単純な区別を与え、それによって、必要とされる回路を更に簡略化する。
【００３２】
宣言領域及び通常の動作領域は図３及び図４においては簡略化のために平面図で表わされているが、実際には、これらの領域は３次元領域であることに注意されたい。
【００３３】
本発明によるシステムの実施例においては、ゲスト（２０）は、宣言信号（５０）の送信及び通常の動作信号の送信のために実質的に同じ送信電力を使用し、勿論（ホストのバッテリ電源の充電状態などの）他の全てのものが等しい。このような実施例においては、ホスト（１０）は、受信される宣言信号（５０）の信号強度を測定することによって宣言信号（５０）の送信元（ｏｒｉｇｉｎ）を決定する。前記信号強度が第１しきい値以上である場合には、ホスト（１０）は、宣言信号（５０）が該ホストの宣言領域（４０）内から、即ち、ゲスト送信機（２５）が該ホストの宣言領域（４０）内に位置する間にゲスト（２０）によって送信されていると結論し、その結果として、ホスト（１０）はゲスト（２０）とのリンクを確立する。前記信号強度が、実質的に第１しきい値より小さい第２しきい値以下である場合には、ホスト（１０）は、宣言信号（５０）が該ホストの宣言領域（４０）外から、即ち、ゲスト送信機（２５）が該ホストの宣言領域（４０）外に位置する間にゲスト（２０）によって送信されていると結論し、その結果として、ホスト（１０）はゲスト（２０）とのリンクを確立しない。このような実施例においてホスト（１０）上で実施される一例としてのプロセスが、図５において示されている。
【００３４】
本発明によるシステムの他の実施例においては、ゲスト（２０）は、宣言信号（５０）を送信する第１送信電力及び通常の動作信号を送信する第２送信電力を使用し、第１送信電力は実質的に第２送信電力より低く、勿論（ホストのバッテリ電源の充電状態などの）他の全てものは等しい。ホスト（１０）は一般的に信号を検出するために最小信号／雑音比を必要とすると仮定すると、このような他の実施例における宣言領域（４０）は、ゲスト送信機（２５）が宣言信号（５０）を送信する間ホスト（１０）によって前記最小信号／雑音比より大きい信号／雑音比を伴って受信されるよう位置しなければならない領域と対応し、通常の動作領域（６０）は、ゲスト送信機（２５）が通常の動作信号を送信する間ホスト（１０）によって前記最小信号／雑音比より大きい信号／雑音比を伴って受信されるよう位置しなければならない領域と対応する。
【００３５】
第１送信電力は実質的に第２送信電力より低く、従って、宣言領域（４０）は実質的に通常の動作領域（６０）より小さいであろう。
【００３６】
このような他の実施例においては、ホスト（１０）は宣言信号（５０）の送信元を調べる必要がない。実際は、ホスト（１０）が有効な宣言信号（５０）を受信する場合には、本質的に、前記宣言信号が前記ホストの宣言領域（４０）内から送られていることを意味し、ホスト（１０）はゲスト（２０）とのリンクを確立するであろう。ゲスト（２０）がホストの宣言領域（４０）外から宣言信号（５０）を送る場合には、ホスト（１０）は、前記宣言信号の信号／雑音比が前記最小信号／雑音比より小さいことから宣言信号（５０）を検出せず、ゲスト（２０）とのリンクは確立されないであろう。
【００３７】
このような他の実施例の利点は、基本的にはホスト（１０）が宣言信号（５０）の送信元を決定する如何なる特定の手段も必要としないことにある。このような実施例においてホスト（１０）上で実施される一例としてのプロセスが、図６において示されている。不利な点は、ゲスト（２０）側において、異なる電力の信号を送るための差別化（ｄｉｆｆｅｒｅｎｔｉａｔｉｏｎ）を必要とすることにある。
【００３８】
本発明によるシステムにおいては、ホスト（１０）は、ゲスト（２０）とのリンクを確立するために該ゲストに信号を送信する必要がないことに注意されたい。それ故、実施例において、ホスト（１０）は、故意にゲスト（２０）に信号を送信する送信機を有さない。これは、システムを簡略化し、その結果として、システムのコストを低減する。好ましい実施例においては、ホスト（１０）は、故意に信号を送信する送信機を有さない。
【００３９】
逆に、ゲスト（２０）は、故意にホスト（１０）からの信号を受信する受信機を持つ必要がない。好ましい実施例においては、ゲスト（２０）は、故意に信号を受信する受信機を有さない。
【００４０】
実施例において、ホスト（１０）が、ゲスト（２０）とのリンクが有効に確立されることをユーザに知らせる手段を有することは有利で有り得る。このような表示は、例えば一時的に点灯する、又は音を発することから成り得る。このような表示手段は、ホスト（１０）が送信機を有さず、ゲスト（２０）が受信機を有さない場合にとりわけ有利である。なぜなら、ホスト（１０）が、ゲスト（２０）とのリンクが確立されていることをゲスト（２０）に知らせる可能性（ｐｏｓｓｉｂｉｌｉｔｙ）を持たない場合には、それ故に、ゲスト（２０）は、リンクが確立されていることをユーザに知らせる可能性を持たないからである。
【００４１】
多数ホスト環境においては、ゲスト（２０）は、単に本発明によるリンクプロシージャをこれらのホストの各々に対して適用することによって、複数のホストとリンクされ得る。
【００４２】
多数ゲスト環境においては、ホスト（１０）は、単に本発明によるリンクプロシージャをこれらのゲストの各々に対して適用することによって、複数のゲストとリンクされ得る。
【００４３】
多数ホスト／多数ゲスト環境においては、上記の２つの例に従って、ゲスト（２０）は、複数のホストとリンクされることができ、ホスト（１０）は、複数のゲストとリンクされることが出来る。
【００４４】
本願発明者は、本発明による簡略化された選択及びリンクプロシージャが、逆に、選択ゲスト（２０）がこれまでリンクされた選択ホスト（１０）からの該選択ゲスト（２０）の簡略化されたリンク解除のためにシステムに有利に適用され得ることも見出した。
【００４５】
これを達成するため、本発明の実施例によるシステムは、ゲスト送信機（２５）がホスト（１０）の宣言領域（４０）内に位置する間にゲスト（２０）によって送信されるリンク解除信号をホスト（１０）によって受信するとゲスト（２０）とのリンクを解除する手段を有し、前記手段は、ゲスト送信機（２５）が前記宣言領域（４０）外に位置する間にゲスト（２０）によってリンク解除信号を送信される場合にはゲスト（２０）とのリンクを解除しない。リンクの解除後、ホスト（１０）は、任意の他のリンクをするまで、ホスト（１０）をゲスト（２０）とリンクする前にそうであったように、ゲスト（２０）によって送信される通常の動作信号に応答しないであろう。
【００４６】
実施例において、ホスト（１０）が、ゲスト（２０）とのリンクが有効に解除されることをユーザに知らせる手段を有することは有利で有り得る。このような表示は、例えば一時的に点灯する、又は音を発することから成り得る。このような表示手段は、ホスト（１０）が送信機を有さず、ゲスト（２０）が受信機を有さない場合にとりわけ有利である。なぜなら、ホスト（１０）が、ゲスト（２０）とのリンクが解除されていることをゲスト（２０）に知らせる可能性を持たない場合には、それ故に、ゲスト（２０）は、リンクが解除されていることをユーザに知らせる可能性を持たないからである。
【００４７】
要するに、本発明は以下のように記載され得る。
【００４８】
無線媒体を介して互いと通信する少なくとも１つのホスト及び少なくとも１つのゲストを有し、選択ホスト（１０）を選択ゲスト（２０）とリンクさせる手段を持つシステムである。簡略化された方式でこのような選択及びこのようなリンクを行なうことを可能にするために、ホスト（１０）は、ゲスト（２０）が宣言信号（５０）を送信し、この宣言信号（５０）が該ホスト（１０）の宣言領域（４０）内から送信されるという２つの条件でリンクを確立する手段を持ち、前記宣言領域は前記ゲスト／前記ホストの対の通常の動作領域（６０）と実質的に異なる。前記ホスト（１０）及び前記ゲスト（２０）の前記選択及び前記リンクは、単に前記選択ホスト（１０）の前記宣言領域（４０）内で前記選択ゲスト（２０）を押し、この宣言領域（４０）内から前記選択ゲスト（２０）による宣言信号（５０）の送信をトリガすることによって行われる。
【図面の簡単な説明】
【図１】無線通信システムを概略的に示す。
【図２】図１の無線通信システムの素子を概略的に示す。
【図３】本発明の実施例による無線通信システムの２つの素子を概略的に示す。
【図４】本発明の好ましい実施例による無線通信システムの２つの素子を概略的に示す。
【図５】本発明の実施例による無線通信システムのホストにおいて実施される一例としてのプロセスの機能フローチャートを示す。
【図６】本発明の別の実施例による無線通信システムのホストにおいて実施される一例としてのプロセスの機能フローチャートを示す。
【図１】
2004521564.tif 000003
【図５】
2004521564.tif 000004
【図６】
2004521564.tif 000005
【国際公開パンフレット】
2004521564.tif 000006
2004521564.tif 000007
2004521564.tif 000008
2004521564.tif 000009
2004521564.tif 000010
2004521564.tif 000011
2004521564.tif 000012
2004521564.tif 000013
2004521564.tif 000014
2004521564.tif 000015
2004521564.tif 000016
2004521564.tif 000017
2004521564.tif 000018
2004521564.tif 000019
2004521564.tif 000020
2004521564.tif 000021
2004521564.tif 000022
2004521564.tif 000023
【国際公開パンフレット（コレクトバージョン）】
2004521564.tif 000024
【国際調査報告】
2004521564.tif 000025
2004521564.tif 000026
2004521564.tif 000027